(57)【特許請求の範囲】
【請求項１】
ワイヤレスに通信するように構成される装置であって、
プロセッサと、前記プロセッサに動作可能に結合されたメモリ構成要素とを備える処理システムを備え、前記処理システムは、
別個のワイヤレス通信デバイスから制御フレームを受信することと、前記制御フレームは、共有ワイヤレスアクセス媒体上での送信機会（ＴＸＯＰ）中の前記別個のワイヤレス通信デバイスによる後続のデータ送信のためのクリアチャネルアセスメント（ＣＣＡ）に関連する、
前記制御フレームから少なくとも１つの延期関連パラメータを取得することと、前記延期関連パラメータは、前記ＴＸＯＰ中の前記共有ワイヤレスアクセス媒体上での同時通信を可能にすることを示し、
前記少なくとも１つの延期関連パラメータに少なくとも部分的に基づいて前記共有ワイヤレスアクセス媒体上で前記ＴＸＯＰ中にデータを送信することと、ここにおいて、前記データおよび前記後続のデータ送信は、同時に送信される、
を行うように構成された、装置。
【請求項２】
ワイヤレスに通信するように構成される装置であって、
プロセッサと、前記プロセッサに動作可能に結合されたメモリ構成要素とを備える処理システムを備え、前記処理システムは、
制御フレームを受信することと、前記制御フレームは、ワイヤレスアクセス媒体上での送信機会（ＴＸＯＰ）中の後続のデータ送信のためのクリアチャネルアセスメント（ＣＣＡ）に関連する、
前記制御フレームから少なくとも１つの延期関連パラメータを取得することと、前記延期関連パラメータは、前記ＴＸＯＰ中の前記ワイヤレスアクセス媒体上での同時通信を可能にすることを示し、
前記少なくとも１つの延期関連パラメータに少なくとも部分的に基づいて前記ワイヤレスアクセス媒体上で前記ＴＸＯＰ中にデータを送信することと、ここにおいて、前記データおよび前記後続のデータ送信は、同時に送信される、
を行うように構成された、装置。
【請求項３】
前記処理システムが、前記送信を延期する際に前記少なくとも１つの延期関連パラメータに関連する１つまたは複数のしきい値を使用するようにさらに構成された、請求項１または２に記載の装置。
【請求項４】
前記処理システムは、重複基本サービスセット（ＯＢＳＳ）のリストにさらに基づいて前記送信を延期するように構成された、請求項１または２に記載の装置。
【請求項５】
前記制御フレームは、送信準備完了（ＲＴＳ）フレームを備え、前記少なくとも１つの延期関連パラメータが、前記ＲＴＳフレーム中で受信される、請求項１または２に記載の装置。
【請求項６】
前記少なくとも１つの延期関連パラメータが、前記ＴＸＯＰ中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、請求項５に記載の装置。
【請求項７】
前記処理システムが、前記ＲＴＳフレームが受信され、送信可（ＣＴＳ）フレームが受信されていない前記ＴＸＯＰ中の送信を延期しないように構成された、請求項６に記載の装置。
【請求項８】
前記制御フレームは、送信可（ＣＴＳ）フレームを備え、前記少なくとも１つの延期関連パラメータが、前記ＣＴＳフレーム中で受信される、請求項１または２に記載の装置。
【請求項９】
前記少なくとも１つの延期関連パラメータが、許容ＣＣＡオフセットと前記ＴＸＯＰ中に適用可能なデフォルトＣＣＡしきい値との指示のうちの少なくとも１つを備える、請求項８に記載の装置。
【請求項１０】
前記処理システムは、
前記ＣＴＳが、前記デフォルトＣＣＡしきい値に前記オフセットを加えたものを下回る電力レベルを有するかどうかを決定することと、
前記ＴＸＯＰ中の送信を延期しないことと、
を行うように構成された、請求項９に記載の装置。
【請求項１１】
前記処理システムは、複数のＴＸＯＰを定義するように構成され、前記後続のデータ送信は、第１のＴＸＯＰ中に送信され、前記処理システムは、同時通信を可能にしないことを示す少なくとも１つの延期関連パラメータを取得することと、第２のＴＸＯＰまで前記共有ワイヤレスアクセス媒体上での前記データ送信を延期することとを行うようにさらに構成された、請求項１または２に記載の装置。
【請求項１２】
前記処理システムは、複数のＴＸＯＰを定義するように構成され、前記後続のデータ送信およびデータは、第１のＴＸＯＰ中に送信され、前記処理システムは、前記データ送信の終了および前記後続のデータ送信の前記終了を前記第１のＴＸＯＰの終了と整合させるように構成された、請求項１または２に記載の装置。
【請求項１３】
前記処理システムは、前記データ送信の継続時間が、前記後続のデータ送信の継続時間を過ぎて延長しないように、前記データの前記送信を前記後続のデータ送信の前記送信と整合させるように構成された、請求項１または２に記載の装置。
【請求項１４】
ワイヤレスに通信するように構成される装置であって、
第１のワイヤレス通信デバイス中の、プロセッサと、前記プロセッサに動作可能に結合されたメモリ構成要素とを備える処理システムを備え、前記処理システムは、
第２のワイヤレス通信デバイスとのワイヤレス通信のためのパケットを生成することと、
共有ワイヤレスアクセス媒体上での前記第２のワイヤレス通信デバイスへの送信機会（ＴＸＯＰ）中の前記パケットの送信に関連するクリアチャネルアセスメント（ＣＣＡ）を実行することと、前記ＣＣＡは、前記ＴＸＯＰ中の前記共有ワイヤレスアクセス媒体上での同時通信を可能にすることを示す少なくとも１つの延期関連パラメータを備える制御フレームを含み、第３のワイヤレス通信デバイスは、前記制御フレームを受信することと、前記共有ワイヤレスアクセス媒体上で前記パケットと同時にデータを送信するために前記第３のワイヤレス通信デバイスによって使用されるべき前記延期関連パラメータを取得することとを行うように構成された、
前記ＴＸＯＰ中の前記共有ワイヤレスアクセス媒体上で前記第２のワイヤレス通信デバイスに前記パケットを送信することと、ここにおいて、前記第３のワイヤレス通信デバイスは、前記延期関連パラメータに基づいて前記パケットの前記送信と同時に前記データを送信するように構成された、
を行うように構成された、装置。
【請求項１５】
前記制御フレームが、送信準備完了（ＲＴＳ）フレーム、および前記ＲＴＳフレーム中の前記少なくとも１つの延期関連パラメータを備える、請求項１４に記載の装置。
【請求項１６】
前記少なくとも１つの延期関連パラメータが、前記ＴＸＯＰ中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、請求項１５に記載の装置。
【請求項１７】
前記制御フレームが、送信可（ＣＴＳ）フレーム、および前記ＣＴＳフレーム中の前記少なくとも１つの延期関連パラメータを備える、請求項１４に記載の装置。
【請求項１８】
前記少なくとも１つの延期関連パラメータが、許容ＣＣＡオフセットと前記ＴＸＯＰ中に適用可能なデフォルトＣＣＡしきい値との指示のうちの少なくとも１つを備える、請求項１７に記載の装置。
【請求項１９】
プロセッサと、前記プロセッサに動作可能に結合されたメモリ構成要素とを備える処理システムにより実行されるワイヤレス通信の方法であって、
別個のワイヤレス通信デバイスから制御フレームを受信することと、前記制御フレームは、共有ワイヤレスアクセス媒体上での送信機会（ＴＸＯＰ）中の前記別個のワイヤレス通信デバイスによる後続のデータ送信のためのクリアチャネルアセスメント（ＣＣＡ）に関連する、
前記制御フレームから少なくとも１つの延期関連パラメータを取得することと、前記延期関連パラメータは、前記ＴＸＯＰ中の前記共有ワイヤレスアクセス媒体上での同時通信を可能にすることを示し、
前記少なくとも１つの延期関連パラメータに少なくとも部分的に基づいて前記共有ワイヤレスアクセス媒体上で前記ＴＸＯＰ中にデータを送信することと、ここにおいて、前記データおよび前記後続のデータ送信は、同時に送信される、
を備える、方法。
【請求項２０】
プロセッサと、前記プロセッサに動作可能に結合されたメモリ構成要素とを備える処理システムにより実行されるワイヤレス通信の方法であって、
制御フレームを受信することと、前記制御フレームは、ワイヤレスアクセス媒体上での送信機会（ＴＸＯＰ）中の後続のデータ送信のためのクリアチャネルアセスメント（ＣＣＡ）に関連する、
前記制御フレームから少なくとも１つの延期関連パラメータを取得することと、前記延期関連パラメータは、前記ＴＸＯＰ中の前記ワイヤレスアクセス媒体上での同時通信を可能にすることを示し、
前記少なくとも１つの延期関連パラメータに少なくとも部分的に基づいて前記ワイヤレスアクセス媒体上で前記ＴＸＯＰ中にデータを送信することと、ここにおいて、前記データおよび前記後続のデータ送信は、同時に送信される、
を備える、方法。
【請求項２１】
前記送信を延期する際に前記少なくとも１つの延期関連パラメータに関連する１つまたは複数のしきい値を使用することをさらに備える、請求項１９または２０に記載の方法。
【請求項２２】
前記共有ワイヤレスアクセス媒体上での前記送信を延期することは、重複基本サービスセット（ＯＢＳＳ）のリストにさらに基づく、請求項１９または２０に記載の方法。
【請求項２３】
前記制御フレームは、送信準備完了（ＲＴＳ）フレームを備え、前記少なくとも１つの延期関連パラメータが、前記ＲＴＳフレーム中で受信される、請求項１９または２０に記載の方法。
【請求項２４】
前記少なくとも１つの延期関連パラメータが、前記ＴＸＯＰ中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、請求項２３に記載の方法。
【請求項２５】
前記ＲＴＳフレームが受信され、送信可（ＣＴＳ）フレームが受信されていない前記ＴＸＯＰ中の送信に従うのを控えることをさらに備える、請求項２４に記載の方法。
【請求項２６】
前記制御フレームは、送信可（ＣＴＳ）フレームを備え、前記少なくとも１つの延期関連パラメータが、前記ＣＴＳフレーム中で受信される、請求項１９または２０に記載の方法。
【請求項２７】
前記少なくとも１つの延期関連パラメータが、許容ＣＣＡオフセットと前記ＴＸＯＰ中に適用可能なデフォルトＣＣＡしきい値との指示のうちの少なくとも１つを備える、請求項２６に記載の方法。
【請求項２８】
前記ＣＴＳが、前記デフォルトＣＣＡしきい値に前記オフセットを加えたものを下回る電力レベルを有するかどうかを決定することと、
前記ＴＸＯＰ中の送信に従うのを控えることと、
をさらに備える、請求項２７に記載の方法。
【請求項２９】
ワイヤレス通信のための装置であって、
別個のワイヤレス通信デバイスから制御フレームを受信するための手段と、前記制御フレームは、共有ワイヤレスアクセス媒体上での送信機会（ＴＸＯＰ）中の前記別個のワイヤレス通信デバイスによる後続のデータ送信のためのクリアチャネルアセスメント（ＣＣＡ）に関連する、
前記制御フレームから少なくとも１つの延期関連パラメータを取得するための手段と、前記延期関連パラメータは、前記ＴＸＯＰ中の前記共有ワイヤレスアクセス媒体上での同時通信を可能にすることを示し、
前記少なくとも１つの延期関連パラメータに少なくとも部分的に基づいて前記共有ワイヤレスアクセス媒体上で前記ＴＸＯＰ中にデータを送信するための手段と、ここにおいて、前記データおよび前記後続のデータ送信は、同時に送信される、
を備える、装置。
【請求項３０】
ワイヤレス通信のための装置であって、
制御フレームを受信するための手段と、前記制御フレームは、ワイヤレスアクセス媒体上での送信機会（ＴＸＯＰ）中の後続のデータ送信のためのクリアチャネルアセスメント（ＣＣＡ）に関連する、
前記制御フレームから少なくとも１つの延期関連パラメータを取得するための手段と、前記延期関連パラメータは、前記ＴＸＯＰ中の前記ワイヤレスアクセス媒体上での同時通信を可能にすることを示し、
前記少なくとも１つの延期関連パラメータに少なくとも部分的に基づいて前記ワイヤレスアクセス媒体上で前記ＴＸＯＰ中にデータを送信するための手段と、ここにおいて、前記データおよび前記後続のデータ送信は、同時に送信される、
を備える、装置。
【請求項３１】
前記制御フレームは、送信準備完了（ＲＴＳ）フレームを備え、前記少なくとも１つの延期関連パラメータが、前記ＲＴＳフレーム中で受信される、請求項２９または３０に記載の装置。
【請求項３２】
前記制御フレームは、送信可（ＣＴＳ）フレームを備え、前記少なくとも１つの延期関連パラメータが、前記ＣＴＳフレーム中で受信される、請求項２９または３０に記載の装置。
【請求項３３】
実行されたとき、装置に、
別個のワイヤレス通信デバイスから制御フレームを受信することと、前記制御フレームは、共有ワイヤレスアクセス媒体上での送信機会（ＴＸＯＰ）中の前記別個のワイヤレス通信デバイスによる後続のデータ送信のためのクリアチャネルアセスメント（ＣＣＡ）に関連する、
前記制御フレームから少なくとも１つの延期関連パラメータを取得することと、前記延期関連パラメータは、前記ＴＸＯＰ中の前記共有ワイヤレスアクセス媒体上での同時通信を可能にすることを示す、
前記少なくとも１つの延期関連パラメータに少なくとも部分的に基づいて前記共有ワイヤレスアクセス媒体上で前記ＴＸＯＰ中にデータを送信することと、ここにおいて、前記データおよび前記後続のデータ送信は、同時に送信される、
を行わせるコードを備える、非一時的コンピュータ可読記憶媒体。
【請求項３４】
実行されたとき、装置に、
制御フレームを受信することと、前記制御フレームは、ワイヤレスアクセス媒体上での送信機会（ＴＸＯＰ）中の後続のデータ送信のためのクリアチャネルアセスメント（ＣＣＡ）に関連する、
前記制御フレームから少なくとも１つの延期関連パラメータを取得することと、前記延期関連パラメータは、前記ＴＸＯＰ中の前記ワイヤレスアクセス媒体上での同時通信を可能にすることを示す、
前記少なくとも１つの延期関連パラメータに少なくとも部分的に基づいて前記ワイヤレスアクセス媒体上で前記ＴＸＯＰ中にデータを送信することと、ここにおいて、前記データおよび前記後続のデータ送信は、同時に送信される、
を行わせるコードを備える、非一時的コンピュータ可読記憶媒体。
【請求項３５】
前記少なくとも１つの延期関連パラメータが、前記制御フレームの送信準備完了（ＲＴＳ）フレームまたは送信可（ＣＴＳ）フレーム中で受信される、請求項３３または３４に記載の非一時的コンピュータ可読記憶媒体。
【発明の詳細な説明】
【技術分野】
【０００１】
[0001]本出願は、一般に、ワイヤレス通信に関し、より詳細には、デバイス識別情報に基づいた延期のためのシステム、方法、およびデバイスに関する。
【背景技術】
【０００２】
[0002]多くの電気通信システムでは、通信ネットワークは、いくつかの対話している空間的に離れたデバイス間でメッセージを交換するために使用される。ネットワークは、たとえば、メトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定されたワイヤードネットワークと比較すると、ユーザのモビリティと迅速なフィールド展開とを容易にする。
【発明の概要】
【０００４】
[0004]本発明のシステム、方法、およびデバイスは各々、いくつかの態様を有し、それらのうちのいずれの単一の態様も単独では本発明の望ましい属性を担わない。以下の特許請求の範囲によって表される本発明の範囲を限定することなく、ここでいくつかの特徴が簡単に説明される。この説明を考慮した後、特に「発明を実施するための形態」と題されるセクションを読んだ後で、本発明の特徴が、ワイヤレスネットワーク中のアクセスポイントと局との間の改善された通信を含む利点をどのように提供するかが理解されよう。
【０００５】
[0005]本開示の一態様は、ワイヤレス通信するように構成されたＡｎ装置を提供する。本装置は、共有ワイヤレスアクセス媒体上で送信されるパケットから延期関連パラメータを取得することと、少なくとも１つの延期関連パラメータに少なくとも部分的に基づいて共有ワイヤレスアクセス媒体上での送信を延期すべきかどうかを決定することとを行うように構成された処理システムを含む。
【０００６】
[0006]様々な実施形態では、処理システムは、決定を行う際に少なくとも１つの延期関連パラメータに関連する１つまたは複数のしきい値を使用するようにさらに構成され得る。様々な実施形態では、処理システムは、重複基本サービスセット（ＯＢＳＳ：overlapping basic service set）のリストにさらに基づいて共有ワイヤレスアクセス媒体上での送信を延期すべきかどうかを決定するように構成され得る。
【０００７】
[0007]様々な実施形態では、少なくとも１つの延期関連パラメータは、送信準備完了（ＲＴＳ：ready-to-send）フレーム中で受信され得る。様々な実施形態では、少なくとも１つの延期関連パラメータは、送信機会（ＴＸＯＰ：transmission opportunity）中の後続のデータ送信のための計画変調およびコーディング方式（ＭＣＳ）と、ＴＸＯＰ中の後続のデータ送信のための推定ＭＣＳと、ＴＸＯＰ中の後続のデータ送信に非延期を可能にするかまたは可能にしない指示とのうちの少なくとも１つを含むことができる。様々な実施形態では、処理システムは、ＲＴＳフレームが受信され、送信可（ＣＴＳ：clear-to-send）フレームが受信されていないＴＸＯＰ中の送信を延期しないように構成され得る。
【０００８】
[0008]様々な実施形態では、少なくとも１つの延期関連パラメータは、送信可（ＣＴＳ）フレーム中で受信され得る。様々な実施形態では、少なくとも１つの延期関連パラメータは、許容クリアチャネルアセスメント（ＣＣＡ：clear channel assessment）オフセットと送信機会（ＴＸＯＰ）中に適用可能なデフォルトＣＣＡしきい値との指示のうちの少なくとも１つを含むことができる。様々な実施形態では、処理システムは、ＣＴＳが、デフォルトＣＣＡしきい値にオフセットを加えたものを下回る電力レベルを有するかどうかを決定するように構成され得る。処理システムは、ＴＸＯＰ中の送信を延期しないようにさらに構成され得る。
【０００９】
[0009]様々な実施形態では、処理システムは、データ送信の終了を送信機会（ＴＸＯＰ）の終了と少なくとも部分的に整合させるように構成され得る。
【００１０】
[0010]別の態様は、ワイヤレス通信のための別のワイヤレス通信デバイスを提供する。本装置は、ワイヤレス通信デバイス中の処理システムであって、別のワイヤレス通信デバイスが共有ワイヤレスアクセス媒体上での送信を延期すべきであるか否かを決定するために他のワイヤレス通信デバイスによって使用されるべき少なくとも１つの延期関連パラメータを含むパケットを生成し、パケットを他のワイヤレス通信デバイスに与えることを行うように構成された処理システムを含む。
【００１１】
[0011]様々な実施形態では、処理システムは、送信準備完了（ＲＴＳ）フレーム中に少なくとも１つの延期関連パラメータを含めるようにさらに構成され得る。様々な実施形態では、少なくとも１つの延期関連パラメータは、送信機会（ＴＸＯＰ）中の後続のデータ送信のための計画変調およびコーディング方式（ＭＣＳ）と、ＴＸＯＰ中の後続のデータ送信のための推定ＭＣＳと、ＴＸＯＰ中の後続のデータ送信に非延期を可能にするかまたは可能にしない指示とのうちの少なくとも１つを含むことができる。
【００１２】
[0012]様々な実施形態では、処理システムは、送信可（ＣＴＳ）フレーム中に少なくとも１つの延期関連パラメータを含めるようにさらに構成され得る。様々な実施形態では、少なくとも１つの延期関連パラメータは、許容クリアチャネルアセスメント（ＣＣＡ）オフセットと送信機会（ＴＸＯＰ）中に適用可能なデフォルトＣＣＡしきい値との指示のうちの少なくとも１つを含むことができる。
【００１３】
[0013]別の態様は、ワイヤレス通信のための別のワイヤレス通信デバイスを提供する。本装置は、共有ワイヤレスアクセス媒体上で送信されるパケットから延期関連パラメータを取得するための手段を含む。本装置は、少なくとも１つの延期関連パラメータに少なくとも部分的に基づいて共有ワイヤレスアクセス媒体上での送信を延期すべきかどうかを決定するための手段をさらに含む。
【００１４】
[0014]別の態様は、ワイヤレス通信のための別のワイヤレス通信デバイスを提供する。本装置は、別のワイヤレス通信デバイスが共有ワイヤレスアクセス媒体上での送信を延期すべきであるか否かを決定するために他のワイヤレス通信デバイスによって使用されるべき少なくとも１つの延期関連パラメータを含むパケットを生成するための手段を含む。本装置は、パケットを他のワイヤレス通信デバイスに与えるための手段をさらに含む。
【００１５】
[0015]別の態様は、ワイヤレス通信の方法を提供する。本方法は、共有ワイヤレスアクセス媒体上で送信されるパケットから延期関連パラメータを取得することを含む。本方法は、少なくとも１つの延期関連パラメータに少なくとも部分的に基づいて共有ワイヤレスアクセス媒体上での送信を延期すべきかどうかを決定することをさらに含む。
【００１６】
[0016]別の態様は、ワイヤレス通信の別の方法を提供する。本方法は、別のワイヤレス通信デバイスが共有ワイヤレスアクセス媒体上での送信を延期すべきであるか否かを決定するために他のワイヤレス通信デバイスによって使用されるべき少なくとも１つの延期関連パラメータを含むパケットを生成することを含む。本方法は、パケットを他のワイヤレス通信デバイスに与えることをさらに含む。
【００１７】
[0017]別の態様は、ワイヤレス通信のためのコンピュータプログラム製品を提供する。本製品は、共有ワイヤレスアクセス媒体上で送信されるパケットから延期関連パラメータを取得するための装置によって実行可能な命令を記憶したコンピュータ可読媒体を含む。本媒体は、実行されたとき、装置に、少なくとも１つの延期関連パラメータに少なくとも部分的に基づいて共有ワイヤレスアクセス媒体上での送信を延期すべきかどうかを決定することを行わせるコードをさらに含む。
【００１８】
[0018]別の態様は、ワイヤレス通信のための別のコンピュータプログラム製品を提供する。本製品は、別のワイヤレス通信デバイスが共有ワイヤレスアクセス媒体上での送信を延期すべきであるか否かを決定するために他のワイヤレス通信デバイスによって使用されるべき少なくとも１つの延期関連パラメータを含むパケットを生成するために装置によって実行可能な命令を記憶したコンピュータ可読媒体を含む。本媒体は、実行されたとき、装置に、パケットを他のワイヤレス通信デバイスに与えることを行わせるコードをさらに含む。
【００１９】
[0019]別の態様はワイヤレスノードを提供する。ノードは、共有ワイヤレスアクセス媒体上で少なくとも１つの延期関連パラメータを有するパケットを受信するように構成された受信機を含む。ノードは、延期関連パラメータに少なくとも部分的に基づいて媒体上での送信を延期すべきかどうかを決定するように構成された処理システムをさらに含む。
【００２０】
[0020]別の態様は、別のワイヤレスノードを提供する。ノードは、ワイヤレス通信デバイス中の処理システムであって、共有ワイヤレスアクセス媒体上で送信することを延期すべきか否かを決定する際に受信デバイスが使用する少なくとも１つの延期関連パラメータを有するパケットを生成するように構成された処理システムを含む。ノードは、共有ワイヤレスアクセス媒体上でパケットを送信するように構成された送信機をさらに含む。
【００２１】
[0021]方法、装置、システム、コンピュータプログラム製品、および処理システムを含む多数の他の態様が提供される。
【図面の簡単な説明】
【００２２】
【図１】[0022]本開示の態様が採用され得る例示的なワイヤレス通信システムを示す図。
【図２Ａ】[0023]複数のワイヤレス通信ネットワークが存在するワイヤレス通信システムを示す図。
【図２Ｂ】[0024]複数のワイヤレス通信ネットワークが存在する別のワイヤレス通信システムを示す図。
【図３】[0025]図１および図２Ｂのワイヤレス通信システム内で採用され得る周波数多重化技法を示す図。
【図４】[0026]図１、図２Ｂ、および図３のワイヤレス通信システム内で採用され得る例示的なワイヤレスデバイスの機能ブロック図。
【図５】[0027]本開示のいくつかの態様による、ワイヤレス通信のための例示的な動作を示す図。
【図５Ａ】[0028]図５に示す動作を実施することが可能な例示的な構成要素を示す図。
【図６】[0029]本開示のいくつかの態様による、ワイヤレス通信のための例示的な装置を示す図。
【図６Ａ】[0030]図６に示す動作を実施することが可能な例示的な構成要素を示す図。
【図７】[0031]本開示の態様が採用され得るタイミング図７００。
【発明を実施するための形態】
【００２３】
[0032]添付の図面を参照して、新規のシステム、装置、および方法の様々な態様が以下でより完全に説明される。ただし、本開示は、多くの異なる形態で実施され得、本開示全体にわたって提示する任意の特定の構造または機能に限定されるものと解釈すべきではない。むしろ、本開示が、入念で完全であり、本開示の範囲を当業者に十分に伝達するように、これらの態様が提供される。本明細書の教示に基づいて、本開示の範囲は、本発明の他の態様とは独立に実装されるのか、本発明の他の態様と組み合わせて実装されるのかにかかわらず、本明細書で開示される新規のシステム、装置、および方法のあらゆる態様を包含することを意図することを、当業者は理解されたい。たとえば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法を包含することを意図する。本明細書で開示されるいかなる態様も請求項の１つまたは複数の要素によって実施され得ることを理解されたい。
【００２４】
[0033]本明細書では特定の態様について説明するが、これらの態様の多くの変形形態および置換は本開示の範囲内に入る。好ましい態様のいくつかの利益および利点が述べられるが、本開示の範囲は特定の利益、使用、または目的に限定されることを意図しない。むしろ、本開示の態様は、様々なワイヤレス技術、システム構成、ネットワーク、および伝送プロトコルに広く適用可能であることが意図され、それらのいくつかが例として、図において、および好適な態様の以下の説明において示される。詳細な説明および図面は、限定的ではなく、本開示の例示にすぎず、本開示の範囲は、添付の特許請求の範囲およびその均等物によって定義される。
【００２５】
[0034]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ワイヤレスプロトコルなど、任意の通信規格に適用され得る。
【００２６】
[0035]いくつかの態様では、ワイヤレス信号は、直交周波数分割多重（ＯＦＤＭ）、直接シーケンススペクトル拡散（ＤＳＳＳ）通信、ＯＦＤＭ通信とＤＳＳＳ通信との組合せ、または他の方式を使用して、高効率８０２．１１プロトコルに従って送信され得る。高効率８０２．１１プロトコルの実装形態は、インターネットアクセス、センサー、メータリング、スマートグリッドネットワーク、または他のワイヤレス適用例のために使用され得る。有利には、本明細書で開示される技法を使用する高効率８０２．１１プロトコルを実装しているいくつかのデバイスの態様は、同じエリアにおける増大したピアツーピアサービス（たとえば、Ｍｉｒａｃａｓｔ、ＷｉＦｉ  Ｄｉｒｅｃｔ（登録商標）  Ｓｅｒｖｉｃｅｓ、Ｓｏｃｉａｌ  ＷｉＦｉ（登録商標）など）を可能にすること、増大したユーザ当たり最小スループット要件をサポートすること、より多くのユーザをサポートすること、改善された屋外カバレージとロバストネスとをもたらすこと、および／または他のワイヤレスプロトコルを実装しているデバイスよりも少ない電力を消費することを含むことができる。
【００２７】
[0036]いくつかの実施態様では、ＷＬＡＮは、ワイヤレスネットワークにアクセスする構成要素である様々なデバイスを含む。たとえば、２つのタイプのデバイス、すなわちアクセスポイント（「ＡＰ」）およびクライアント（局または「ＳＴＡ」とも呼ばれる）が存在し得る。概して、ＡＰはＷＬＡＮ用のハブまたは基地局として働くことができ、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るためにＷｉＦｉ（たとえば、ＩＥＥＥ８０２．１１プロトコル）準拠ワイヤレスリンクを介してＡＰに接続する。いくつかの実装形態では、ＳＴＡはＡＰとしても使用され得る。
【００２８】
[0037]アクセスポイント（「ＡＰ」）はまた、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、または他の何らかの用語を備え、それらのいずれかとして実装され、またはそれらのいずれかとして知られ得る。
【００２９】
[0038]局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、もしくは他の何らかの用語を備え、それらのいずれかとして実装され、またはそれらのいずれかとして知られ得る。いくつかの実装形態では、アクセス端末は、携帯電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された他の何らかの適切な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、または衛星ラジオ）、ゲームデバイスまたはシステム、全地球測位システムデバイス、あるいはワイヤレス媒体を介して通信するように構成された他の好適なデバイスに組み込まれ得る。
【００３０】
[0039]上で論じられたように、本明細書で説明されるデバイスのいくつかは、たとえば、高効率８０２．１１規格を実装することができる。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサー適用例を提供するか、またはホームオートメーションにおいて使用され得る。デバイスは、代わりにまたは追加として、ヘルスケアコンテキストにおいて、たとえば、パーソナルヘルスケアのために使用され得る。それらのデバイスはまた、（たとえば、ホットスポットとともに使用する）拡張された範囲のインターネット接続性を可能にするために、またはマシンツーマシン通信を実装するために、監視のために使用され得る。
【００３１】
[0040]図１に、本開示の態様が採用され得る例示的なワイヤレス通信システム１００を示す。ワイヤレス通信システム１００は、ワイヤレス規格、たとえば高効率８０２．１１規格に従って動作することができる。ワイヤレス通信システム１００は、ＳＴＡ１０６と通信するＡＰ１０４を含むことができる。
【００３２】
[0041]様々なプロセスおよび方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。そうである場合、ワイヤレス通信システム１００は、ＯＦＤＭ／ＯＦＤＭＡシステムと呼ばれることがある。代替的に、信号は、符号分割多元接続（ＣＤＭＡ）技法に従って、ＡＰ１０４とＳＴＡ１０６との間で送られ、受信され得る。そうである場合、ワイヤレス通信システム１００は、ＣＤＭＡシステムと呼ばれることがある。
【００３３】
[0042]ＡＰ１０４からＳＴＡ１０６のうちの１つまたは複数への送信を可能にする通信リンクは、ダウンリンク（ＤＬ）１０８と呼ばれることがあり、ＳＴＡ１０６のうちの１つまたは複数からＡＰ１０４への送信を可能にする通信リンクは、アップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００３４】
[0043]ＡＰ１０４は、基地局として働き、基本サービスエリア（ＢＳＡ）１０２においてワイヤレス通信カバレージを与え得る。ＡＰ１０４は、ＡＰ１０４に関連付けられ、また通信のためにＡＰ１０４を使用する、ＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能することができることに留意されたい。したがって、本明細書で説明するＡＰ１０４の機能は、代替的にＳＴＡ１０６のうちの１つまたは複数によって実行され得る。
【００３５】
[0044]いくつかの態様では、ＳＴＡ１０６は、ＡＰ１０４に通信を送るために、および／またはＡＰ１０４から通信を受信するために、ＡＰ１０４に関連することが必要であり得る。一態様では、接続するための情報は、ＡＰ１０４によるブロードキャストに含まれる。そのようなブロードキャストを受信するために、ＳＴＡ１０６は、たとえば、カバレージ領域にわたって広カバレージ探索を実行し得る。また、探索は、ＳＴＡ１０６が、たとえば、灯台方式でカバレージ領域をスイープすることによって実行され得る。関連するための情報を受信した後に、ＳＴＡ１０６は、関連付けプローブまたは要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００３６】
[0045]一実施形態では、ＡＰ１０４は、ＡＰ高効率ワイヤレス構成要素（ＨＥＷＣ）１５４を含む。ＡＰ  ＨＥＷＣ１５４は、高効率８０２．１１プロトコルを使用して、ＡＰ１０４とＳＴＡ１０６との間の通信を可能にするために、本明細書で説明する動作の一部または全部を実行することができる。ＡＰ  ＨＥＷＣ１５４の機能について、図２Ｂ、図３、図４、および図５に関して以下でより詳細に説明する。
【００３７】
[0046]代替的に、または加えて、ＳＴＡ１０６は、ＳＴＡ  ＨＥＷＣ１５６を含むことができる。ＳＴＡ  ＨＥＷＣ１５６は、高周波８０２．１１プロトコルを使用して、ＳＴＡ１０６とＡＰ１０４との間の通信を可能にするために、本明細書で説明する動作の一部または全部を実行することができる。ＳＴＡ  ＨＥＷＣ１５６の機能について、図２Ｂ、図３、図４、および図５に関して以下でより詳細に説明する。
【００３８】
[0047]いくつかの状況では、ＢＳＡは、他のＢＳＡの近くに配置され得る。たとえば、図２Ａに、複数のワイヤレス通信ネットワークが存在する、ワイヤレス通信システム２００を示す。図２Ａに示されるように、ＢＳＡ２０２Ａ、２０２Ｂ、および２０２Ｃは、物理的に互いの近くに配置され得る。ＢＳＡ２０２Ａ〜Ｃが極めて近接しているにもかかわらず、ＡＰ２０４Ａ〜Ｃおよび／またはＳＴＡ２０６Ａ〜Ｈは、それぞれ同じスペクトルを使用して通信することができる。したがって、ＢＳＡ２０２Ｃにおけるデバイス（たとえば、ＡＰ２０４Ｃ）がデータを送信している場合、ＢＳＡ２０２Ｃの外にあるデバイス（たとえば、ＡＰ２０４Ａ〜ＢまたはＳＴＡ２０６Ａ〜Ｆ）は、媒体上で通信を感知することができる。
【００３９】
[0048]一般に、通常の８０２．１１プロトコル（たとえば、８０２．１１ａ、８０２．１１ｂ、８０２．１１ｇ、８０２．１１ｎなど）を使用するワイヤレスネットワークは、媒体アクセスのための搬送波感知多元接続（ＣＳＭＡ：carrier sense multiple access）機構のもとで動作する。ＣＳＭＡによれば、デバイスは、媒体を感知し、媒体がアイドル状態であると感知されたときのみ送信する。したがって、ＡＰ２０４Ａ〜Ｃおよび／またはＳＴＡ２０６Ａ〜ＨがＣＳＭＡ機構に従って動作しており、ＢＳＡ２０２Ｃにおけるデバイス（たとえば、ＡＰ２０４Ｃ）がデータを送信している場合に、ＢＳＡ２０２Ｃの外にあるＡＰ２０４Ａ〜Ｂおよび／またはＳＴＡ２０６Ａ〜Ｆは、それらが異なるＢＳＡの一部であっても、媒体を介して送信しないことがある。
【００４０】
[0049]図２Ａは、そのような状況を示す。図２Ａに示されているように、ＡＰ２０４Ｃは媒体を通じて送信している。送信は、ＡＰ２０４Ｃと同じＢＳＡ２０２Ｃ中にあるＳＴＡ２０６Ｇによって、およびＡＰ２０４Ｃとは異なるＢＳＡ中にあるＳＴＡ２０６Ａによって検知される。送信は、ＳＴＡ２０６Ｇおよび／またはＢＳＡ２０２Ｃ中のＳＴＡのみにアドレス指定され得るが、とはいえ、ＳＴＡ２０６Ａは、ＡＰ２０４Ｃ（および任意の他のデバイス）が媒体を介してもはや送信しなくなるまで、（たとえば、ＡＰ２０４Ａとの間で）通信を送信または受信することが可能でないことがある。図示されていないが、同じことがＢＳＡ２０２ＢにおけるＳＴＡ２０６Ｄ〜Ｆおよび／またはＢＳＡ２０２ＡにおけるＳＴＡ２０６Ｂ〜Ｃにも（たとえば、その他のＳＴＡが媒体上で送信を検知できるほど、ＡＰ２０４Ｃによる送信がより強い場合）適用することができる。
【００４１】
[0050]ＢＳＡの外部のいくつかのＡＰまたはＳＴＡは、ＢＳＡ中のＡＰまたはＳＴＡによって行われた送信に干渉することなしに、データを送信することが可能であり得るので、ＣＳＭＡ機構の使用は、次いで非効率を生じる。アクティブなワイヤレスデバイスの数が増え続けるにつれて、非効率がネットワークレイテンシおよびスループットに著しく影響を及ぼし始めることがある。たとえば、著しいネットワークレイテンシの問題は、各住戸がアクセスポイントと関連する局とを含むことができる集合住宅において現れることができる。実際に、各住戸は、居住者がワイヤレスルータ、ワイヤレスメディアセンター機能を有するビデオゲームコンソール、ワイヤレスメディアセンター機能を有するテレビ、パーソナルホットスポットのように働き得る携帯電話などを所有することができるので、複数のアクセスポイントを含むことができる。その場合、レイテンシおよびスループットの問題と全体的なユーザの不満とを回避するために、ＣＳＭＡ機構の非効率性を是正することが不可欠であり得る。
【００４２】
[0051]そのようなレイテンシおよびスループットの問題は、住宅地に限らない可能性がある。たとえば、複数のアクセスポイントが、空港、地下鉄の駅、および／または他の人口密度の高い公共の場に配置され得る。現在は、ＷｉＦｉアクセスが、これらの公共の場において、有料であるが提供され得る。ＣＳＭＡ機構によって生じる非効率が是正されない場合、料金およびより低いサービス品質が利益を上回り始めるので、ワイヤレスネットワークの事業者は顧客を失うことがある。
【００４３】
[0052]したがって、本明細書で説明される高効率８０２．１１プロトコルは、これらの非効率性を最小限にしてネットワークスループットを増大させる修正された機構のもとで、デバイスが動作することを可能にすることができる。そのような機構について、図２Ｂ、図３、および図４に関して以下で説明する。高効率８０２．１１プロトコルの追加の態様について、図５〜図９に関して以下で説明する。
【００４４】
[0053]図２Ｂに、複数のワイヤレス通信ネットワークが存在する、ワイヤレス通信システム２５０を示す。図２Ａのワイヤレス通信システム２００とは異なり、ワイヤレス通信システム２５０は、本明細書で論じられる高効率８０２．１１規格に従って動作することができる。ワイヤレス通信システム２５０は、ＡＰ２５４Ａと、ＡＰ２５４Ｂと、ＡＰ２５４Ｃとを含むことができる。ＡＰ２５４ＡはＳＴＡ２５６Ａ〜Ｃと通信することができ、ＡＰ２５４ＢはＳＴＡ２５６Ｄ〜Ｆと通信することができ、ＡＰ２５４ＣはＳＴＡ２５６Ｇ〜Ｈと通信することができる。
【００４５】
[0054]様々なプロセスおよび方法が、ＡＰ２５４Ａ〜ＣとＳＴＡ２５６Ａ〜Ｈとの間のワイヤレス通信システム２５０における送信に使用され得る。たとえば、信号は、ＯＦＤＭ／ＯＦＤＭＡ技法またはＣＤＭＡ技法に従って、ＡＰ２５４Ａ〜ＣとＳＴＡ２５６Ａ〜Ｈとの間で送られ、受信され得る。
【００４６】
[0055]ＡＰ２５４Ａは、基地局として働き、ＢＳＡ２５２Ａ中でワイヤレス通信カバレージを提供することができる。ＡＰ２５４Ｂは、基地局として働き、ＢＳＡ２５２Ｂ中でワイヤレス通信カバレージを提供することができる。ＡＰ２５４Ｃは、基地局として働き、ＢＳＡ２５２Ｃ中でワイヤレス通信カバレージを提供することができる。各ＢＳＡ２５２Ａ、２５２Ｂ、および／または２５２Ｃは、中央ＡＰ２５４Ａ、２５４Ｂ、または２５４Ｃを有しないことがあり、むしろＳＴＡ２５６Ａ〜Ｈのうちの１つまたは複数の間のピアツーピア通信を可能にすることができることに留意されたい。したがって、本明細書で説明するＡＰ２５４Ａ〜Ｃの機能は、代替的にＳＴＡ２５６Ａ〜Ｈのうちの１つまたは複数によって実行され得る。
【００４７】
[0056]一実施形態では、ＡＰ２５４Ａ〜Ｃおよび／またはＳＴＡ２５６Ａ〜Ｈは、高効率ワイヤレス構成要素を含む。本明細書で説明するように、高効率ワイヤレス構成要素は、高効率８０２．１１プロトコルを使用するＡＰとＳＴＡとの間の通信を可能にすることができる。特に、高効率ワイヤレス構成要素は、ＣＳＭＡ機構の非効率性を最小化する（たとえば、干渉が生じることのない状況において媒体を介した同時通信を可能にする）修正された機構をＡＰ２５４Ａ〜Ｃおよび／またはＳＴＡ２５６Ａ〜Ｈが使用することを可能にすることができる。高効率ワイヤレス構成要素について、図４に関して以下でより詳細に説明する。
【００４８】
[0057]図２Ｂに示されるように、ＢＳＡ２５２Ａ〜Ｃは物理的に互いに近くに位置する。たとえば、ＡＰ２５４ＡおよびＳＴＡ２５６Ｂが互いに通信しているとき、ＢＳＡ２５２Ｂ〜Ｃにおける他のデバイスによって通信が検知され得る。しかしながら、通信は、ＳＴＡ２５６Ｆおよび／またはＳＴＡ２５６Ｇなどのいくつかのデバイスに干渉するだけであり得る。ＣＳＭＡ下では、そのような通信がＡＰ２５４ＡとＳＴＡ２５６Ｂとの間の通信に干渉しないことになるとしても、ＡＰ２５４Ｂは、ＳＴＡ２５６Ｅと通信することを可能にされないことになる。したがって、高効率８０２．１１プロトコルは、同時に通信することができるデバイスと同時に通信することができないデバイスとを区別する、修正された機構のもとで動作する。デバイスのそのような分類は、ＡＰ２５４Ａ〜Ｃおよび／またはＳＴＡ２５６Ａ〜Ｈにおける高効率ワイヤレス構成要素によって実行され得る。
【００４９】
[0058]ある実施形態では、デバイスが他のデバイスと同時に通信することができるかどうかの決定は、デバイスの位置に基づく。たとえば、ＢＳＡのエッジの近くに配置されるＳＴＡは、そのＳＴＡが他のデバイスと並行して通信することができないような状態または条件にあり得る。図２Ｂに示されるように、ＳＴＡ２０６Ａ、２０６Ｆ、および２０６Ｇは、他のデバイスと並行して通信することができない状態または条件にあるデバイスであり得る。同様に、ＢＳＡの中心の近くに配置されるＳＴＡは、そのＳＴＡが他のデバイスと並行して通信することができるような状態または条件にあり得る。図２に示されるように、ＳＴＡ２０６Ｂ、２０６Ｃ、２０６Ｄ、２０６Ｅ、および２０６Ｈは、それらが他のデバイスと同時に通信することができる状態または条件にあるデバイスであり得る。デバイスの分類は、永続的ではないことに留意されたい。デバイスは、それらが同時に通信することができるような状態または条件と、それらが同時に通信することができないような状態または条件との間を遷移することができる（たとえば、デバイスは、動いているとき、新しいＡＰに接続するとき、接続解除するときなどに、状態または条件を変化させることができる）。
【００５０】
[0059]さらに、デバイスは、それらが他のデバイスと同時に通信する状態または条件にあるデバイスであるか、またはそうではないデバイスであるかに基づいて、異なるように動作するように構成され得る。たとえば、同時に通信することができるような状態または状況にあるデバイスは、同じスペクトル内で通信することができる。しかしながら、同時に通信することができないような状態または条件にあるデバイスは、媒体を通じて通信するために、空間多重化または周波数領域多重化のようないくつかの技法を利用することができる。デバイスの挙動の制御は、ＡＰ２５４Ａ〜Ｃおよび／またはＳＴＡ２５６Ａ〜Ｈにおける高効率ワイヤレス構成要素によって実行され得る。
【００５１】
[0060]一実施形態では、同時に通信することができないような状態または条件にあるデバイスは、媒体を通じて通信するために、空間多重化技法を使用する。たとえば、電力および／または他の情報は、別のデバイスによって送信されるパケットのプリアンブル内に埋め込まれ得る。デバイスが同時に通信することができないような状態または条件にあるデバイスは、媒体上でパケットが感知されたときにプリアンブルを分析し、規則のセットに基づいて送信すべきかどうかを決定することができる。
【００５２】
[0061]別の実施形態では、同時に通信することができないような状態または条件にあるデバイスは、媒体を通じて通信するために、周波数領域多重化技法を使用する。図３に、図１のワイヤレス通信システム１００および図２Ｂのワイヤレス通信システム２５０内で採用され得る周波数多重化技法を示す。図３に示されるように、ＡＰ３０４Ａ、３０４Ｂ、３０４Ｃ、および３０４Ｄは、ワイヤレス通信システム３００内に存在し得る。ＡＰ３０４Ａ、３０４Ｂ、３０４Ｃ、および３０４Ｄの各々は、異なるＢＳＡに関連付けられ、本明細書で説明される高効率ワイヤレス構成要素を含み得る。
【００５３】
[0062]例として、通信媒体の帯域幅は８０ＭＨｚであり得る。通常の８０２．１１プロトコルのもとでは、ＡＰ３０４Ａ、３０４Ｂ、３０４Ｃ、および３０４Ｄの各々ならびに各々のそれぞれのＡＰと関連付けられたＳＴＡは、帯域幅全体を使用して通信することを試み、このことはスループットを低減し得る。しかしながら、周波数領域多重化を使用する高効率８０２．１１プロトコルのもとでは、図３に示されるように、帯域幅は４つの２０ＭＨｚのセグメント３０８、３１０、３１２、および３１４（たとえば、チャネル）に分割され得る。ＡＰ３０４Ａは、セグメント３０８に関連付けられ得、ＡＰ３０４Ｂは、セグメント３１０に関連付けられ得、ＡＰ３０４Ｃは、セグメント３１２に関連付けられ得、ＡＰ３０４Ｄは、セグメント３１４に関連付けられ得る。
【００５４】
[0063]一実施形態では、ＡＰ３０４Ａ〜Ｄおよび他のデバイスと同時に通信することができるような状態または状況にあるＳＴＡ（たとえば、ＢＳＡの中心の近くにあるＳＴＡ）が互いに通信しているとき、各ＡＰ３０４Ａ〜ＤおよびこれらのＳＴＡの各々は、８０ＭＨｚの媒体の一部分または全体を使用して通信することができる。しかしながら、ＳＴＡが他のデバイス（たとえば、ＢＳＡのエッジの近くにあるＳＴＡ）と同時に通信することができないような状態または状況にあるＡＰ３０４Ａ〜ＤおよびＳＴＡが互いに通信しているとき、ＡＰ３０４ＡおよびそのＳＴＡは、２０ＭＨｚセグメント３０８を使用して通信し、ＡＰ３０４ＢおよびそのＳＴＡは、２０ＭＨｚセグメント３１０を使用して通信し、ＡＰ３０４ＣおよびそのＳＴＡは、２０ＭＨｚセグメント３１２を使用して通信し、ＡＰ３０４ＤおよびそのＳＴＡは、２０ＭＨｚセグメント３１４を使用して通信する。セグメント３０８、３１０、３１２、および３１４は、通信媒体の異なる部分であるので、第１のセグメントを使用する第１の送信は、第２のセグメントを使用する第２の送信に干渉しないことになる。
【００５５】
[0064]したがって、ＡＰおよび／またはＳＴＡは、１１ａｃプロトコルまたはより古いプロトコルに従うときに他のデバイスと同時に通信することができないような状態または状況にあるものであっても、高効率ワイヤレス構成要素を含む場合、干渉なしに他のＡＰおよびＳＴＡと同時に通信することができる。したがって、ワイヤレス通信システム３００のスループットは、増大され得る。集合住宅または人口密度の高い公共空間の場合、高効率ワイヤレス構成要素を使用するＡＰおよび／またはＳＴＡは、アクティブなワイヤレスデバイスの数が増加する中でも、レイテンシの低減とネットワークスループットの増大を経験し、それによってユーザ体験を改善することができる。
【００５６】
[0065]図４に、図１、図２Ｂ、および図３のワイヤレス通信システム１００、２５０、および／または３００内で採用され得るワイヤレスデバイス４０２の例示的な機能ブロック図を示す。ワイヤレスデバイス４０２は、本明細書で説明される様々な方法を実施するように構成され得るデバイスの一例である。たとえば、ワイヤレスデバイス４０２は、ＡＰ１０４、ＳＴＡ１０６の１つ、ＡＰ２５４の１つ、ＳＴＡ２５６の１つ、および／またはＡＰ３０４の１つを備えることができる。
【００５７】
[0066]ワイヤレスデバイス４０２は、ワイヤレスデバイス４０２の動作を制御するプロセッサ４０４を含むことができる。プロセッサ４０４は中央処理装置（ＣＰＵ）と呼ばれることもある。読取り専用メモリ（ＲＯＭ）とランダムアクセスメモリ（ＲＡＭ）の両方を含むことができるメモリ４０６は、命令とデータとをプロセッサ４０４に与えることができる。メモリ４０６の一部は不揮発性ランダムアクセスメモリ（ＮＶＲＡＭ）をも含み得る。プロセッサ４０４は、通常、メモリ４０６内に記憶されたプログラム命令に基づいて論理演算と算術演算とを実施する。メモリ４０６中の命令は、本明細書で説明される方法を実施するように実行可能であり得る。
【００５８】
[0067]プロセッサ４０４は、１つまたは複数のプロセッサにより実装された処理システムを備え、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実行し得る任意の他の好適なエンティティの任意の組合せを用いて実装され得る。
【００５９】
[0068]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、またはコードの任意の他の好適な形式の）コードを含むことができる。命令は、１つまたは複数のプロセッサによって実行されたとき、本明細書で説明される様々な機能を処理システムに実行させる。
【００６０】
[0069]ワイヤレスデバイス４０２はまた、ワイヤレスデバイス４０２と遠隔ロケーションとの間のデータの送信および受信を可能にするために送信機４１０および／または受信機４１２を含むことができるハウジング４０８を含み得る。送信機４１０と受信機４１２とは組み合わされてトランシーバ４１４になり得る。アンテナ４１６は、ハウジング４０８に取り付けられ、トランシーバ４１４に電気的に結合され得る。ワイヤレスデバイス４０２はまた、複数の送信機、複数の受信機、複数のトランシーバ、および／または複数のアンテナ（図示せず）を含むことができる。
【００６１】
[0070]ワイヤレスデバイス４０２は、トランシーバ４１４によって受信された信号のレベルを検出および定量化するために使用され得る信号検出器４１８をも含むことができる。信号検出器４１８は、総エネルギー、シンボルごとのサブキャリア当たりのエネルギー、電力スペクトル密度および他の信号などの信号を検出することができる。ワイヤレスデバイス４０２は、信号を処理する際に使用するためのデジタル信号プロセッサ（ＤＳＰ）４２０をも含むことができる。ＤＳＰ４２０は、送信のためのパケットを生成するように構成され得る。いくつかの態様では、パケットは、物理レイヤデータユニット（ＰＰＤＵ）を備え得る。
【００６２】
[0071]ワイヤレスデバイス４０２は、さらに、一部の態様では、ユーザインターフェース４２２を備えることができる。ユーザインターフェース４２２は、キーパッド、マイクロフォン、スピーカー、および／またはディスプレイを備えることができる。ユーザインターフェース４２２は、ワイヤレスデバイス４０２のユーザに情報を伝達し、および／またはユーザからの入力を受信する、任意の要素または構成要素を含むことができる。
【００６３】
[0072]いくつかの態様では、ワイヤレスデバイス４０２は、高効率ワイヤレス構成要素４２４をさらに備えることができる。高効率ワイヤレス構成要素４２４は、分類器ユニット４２８と送信制御ユニット４３０とを含むことができる。本明細書で説明されるように、高効率ワイヤレス構成要素４２４は、ＣＳＭＡ機構の非効率性を最小限にする（たとえば、干渉が生じることのない状況において媒体を通じた同時通信を可能にする）修正された機構をＡＰおよび／またはＳＴＡが使用することを可能にすることができる。
【００６４】
[0073]修正された機構は、分類器ユニット４２８と送信制御ユニット４３０とによって実装され得る。一実施形態では、分類器ユニット４２８は、時間、周波数、または空間における追加の直交化なしに、どのデバイスが他のデバイスと同時に通信することができるような状態または状況にあるのかと、どのデバイスが他のデバイスと同時に通信することができないような状態または状況にあるのかとを決定する。一実施形態では、送信制御ユニット４３０は、デバイスの挙動を制御する。たとえば、送信制御ユニット４３０は、いくつかのデバイスが同じ媒体上で同時に送信することを可能にし、他のデバイスが空間多重化技法または周波数領域多重化技法を使用して送信することを可能にすることができる。送信制御ユニット４３０は、分類器ユニット４２８によって行われた決定に基づいて、デバイスの挙動を制御することができる。
【００６５】
[0074]ワイヤレスデバイス４０２の様々な構成要素は、バスシステム４２６によって互いに結合され得る。バスシステム４２６は、たとえば、データバス、ならびに、データバスに加えて、電力バスと、制御信号バスと、ステータス信号バスとを含むことができる。ワイヤレスデバイス４０２の構成要素は、何らかの他の機構を使用して、一緒に結合され得るか、または互いに対する入力を受け入れ、もしくは提供し得ることを当業者は諒解されよう。
【００６６】
[0075]いくつかの別個の構成要素が図４に示されているが、構成要素のうちの１つまたは複数は組み合わせられるかまたは共通に実装され得ることを、当業者なら認識されよう。たとえば、プロセッサ４０４は、プロセッサ４０４に関して上記で説明された機能を実装するためだけでなく、信号検出器４１８および／またはＤＳＰ４２０に関して上記で説明された機能を実装するためにも使用され得る。さらに、図４に示された構成要素の各々は、複数の別個の要素を使用して実装され得る。
【００６７】
[0076]いくつかの実装形態では、干渉を低減するために、複数のＢＳＳの高密度展開を有するネットワーク内のＡＰ／ＳＴＡのリソースおよび動作モードが協調される。いくつかの態様では、時間と、周波数と、空間と、電力とを含む１つまたは複数の次元がＡＰ／ＳＴＡ間で協調される。いくつかの態様では、協調メッセージがＡＰ／ＳＴＡ間で送られる。いくつかの態様では、８０２．１１ａｈスケジューリングおよび８０２．１１ａａ協調プロトコルの特定の拡張が利用される。
【００６８】
[0077]協調は、異なるＢＳＳのＡＰ／ＳＴＡにわたる明示的な通信として達成され得る。たとえば、オーバージエアで交換されるメッセージまたは別個の通信手段（たとえば、ケーブルバックホール接続）によって交換されるメッセージを介して。メッセージは、直接ＡＰ間で、ＳＴＡを介してＡＰ間で、直接ＳＴＡ間で、またはＡＰを介してＳＴＡ間で交換され得る。
【００６９】
[0078]協調は、媒体上のトラフィックの観測に基づいて、暗黙的な通信／測定として達成され得る。たとえば、パケットは、協調に役立ち得る部分的な情報を搬送するように拡張され得る
[0079]協調の最終決定は、各ＡＰにおいて、分散ヒューリスティックを用いて、通知された中央コントローラによって、または各ＳＴＡにおいて、交換された情報に基づいて行われ得る。
ＢＳＳＩＤ情報に基づいた延期
[0080]ＷｉＦｉネットワークでは、重複ＢＳＳ（ＯＢＳＳ）中のノードが同時に送信することが有益である場合があり得る。しかしながら、現在のＷｉＦｉ規格は、厳しい延期ルールを有する。また、現在、パケットがＯＢＳＳ  ＡＰからそれ自体のＡＰに対するものであるかどうかをノードが知る良好な方法がない。情報のこの欠如は、ＯＢＳＳにわたる同時送信を可能にするために新しい延期ルールを実装しようと試みるときに問題を生じることがある。
【００７０】
[0081]現在、特殊な再利用に対する制限がある。場合によっては、延期ルールが保守的すぎることがある。そのような場合、ネットワーク割振りベクトル（ＮＡＶ：network allocation vector）またはクリアチャネルアセスメント（ＣＣＡ）が設定され、許容されるであろう送信を防げる。物理（ＰＨＹ）ＣＣＡ（エネルギーまたはパケット検出）レベルは、規格によって固定され、シナリオに適合され得ない。仮想キャリア検知（たとえば、ネットワーク割振りベクトルまたは「ＮＡＶ」）は、ＮＡＶが送られ得るペイロード変調およびコーディング方式（ＭＣＳ）の同じ感度レベルで効果的にアクティブになり得る。
【００７１】
[0082]他の場合には、延期ルールが積極的すぎることがある。ＮＡＶまたはＣＣＡは、起こるべきでない送信を可能にすることができる。フレームがＳＩＧまたはデータ部分を失敗したので、ＮＡＶが復号されないことがある。信号対干渉および雑音比（ＳＩＮＲ：signal-to-noise-plus-interference ratio）が十分でないので、プリアンブル検出はトリガされないことがある。さらに、パケット検出および／またはエネルギー検出（ＥＤ）レベルが、特定の干渉シナリオについて高すぎることがある。
【００７２】
[0083]また他の場合では、ＣＣＡ／ＮＡＶレベルにかかわらず、ノードが「無用の」パケットを受信するのに行き詰まることがある。無用のパケットは、受信機を意図していないパケットであり得、または無用のパケットは、ペイロードを復号するには弱すぎるパケットであり得る。
【００７３】
[0084]したがって、ノードがそれ自体のＢＳＳから発信されたパケットとＯＢＳＳから発信されたパケットとを区別することが可能になると実装され得る延期ルールを有することが望ましいことがある。本開示のいくつかの態様は、ノードがそのような区別を実行することを可能にする方法について説明する。
【００７４】
[0085]本開示のいくつかの態様は、延期ルールの拡張について説明する。一態様は、ＣＣＡ挙動を改善することであり得る。ＣＣＡ挙動を改善する１つの方向は、あらゆる送信されるパケット中に、好ましくはＰＨＹプリアンブル中に延期関連指示を含めることである。パラメータ値は、送信機ＳＴＡによって、またはＡＰＤによって決定され得る。ＣＣＡ挙動を改善する別の方法は、受信されたパケット中に含まれる延期関連情報とアクセスポイント（ＡＰ）によって定義される追加のルールとに基づいてパケット受信時の延期についての新しい基準を定義することであり得る。ＡＰは、延期ルールを定義し、局（ＳＴＡ）に通信し、さらに、各送信パケット中に挿入されるべき延期パラメータをどのように設定するかをＳＴＡに示すことができる。ＡＰは、ルールとパラメータとの設定で協調することができる。
【００７５】
[0086]いくつかの態様によれば、あらゆる送信パケット中の延期関連指示は、ＢＳＳの識別子、送信機の識別子、パケットの受信機の識別子、送信機（ＴＸ）電力指示、パケットの「重要性」（それをドロップするか否か）の指示、パケットのサービス品質（ＱｏＳ）の指示、または受信機が延期することになるＲＸ電力レベル（ＣＣＡレベル）の指示を含む。
【００７６】
[0087]送信パケット中に含まれるべき情報は、たとえば、どのパケットが重要性が高いと分類され得るかを識別するＢＳＳ識別子によってＳＴＡにＡＰによってシグナリングされ得る。
【００７７】
[0088]本開示のいくつかの態様は、パケット受信時の延期についての新しい基準を定義する。たとえば、受信されたパケットが１つまたは複数の条件に一致する場合、ＳＴＡは、ワイヤレス媒体を再使用することが許可され得る（たとえば、パケットに従うことが許可されないことがある）。場合によっては、パケットがプリアンブル中に含まれた情報に関係する任意の条件に一致する場合、ＳＴＡは、ワイヤレス媒体を再使用することが許可されないことがある。
【００７８】
[0089]たとえば、プリアンブル（または他の制御フレーム）中に含まれる情報に関係する条件は、パケットＢＳＳ識別子（ＩＤ）がＯＢＳＳからのものであるのか、またはいくつかの選択されたＯＢＳＳからのものであるのか（たとえば、リストはＡＰによって与えられ得る）、ＴＸ／ＲＸ識別子が（たとえば、ＡＰによってシグナリングされ得る）あるＲＸ／ＴＸ識別子に一致するかどうか、パケット中に示されたＴＸ電力が、Ｘよりも小さいかどうか（たとえば、Ｘは、ＡＰまたはパケットによって示される、ここで、非ＯＢＳＳパケットについてよりＯＢＳＳパケットについてＸがより高くなり得る）、ＲＸ電力がＸよりも小さいかどうか（たとえば、Ｘは、ＡＰまたはパケットによって示される）、受信されたパケットがＤＬおよび／またはＵＬパケットであるかどうか、非延期が許可されるとの指示をパケットが含むかどうか（たとえば、媒体共有がＢＳＳごとに有効化／無効化される）、パケットが特定のタイプのものであるかどうか（たとえば、制御パケット、データパケットなど）を含むことができる。場合によっては、「重要性」指示がワイヤレス媒体を再使用することを許可する場合、またはＳＴＡが（たとえば、受信されたパケット中のＱｏＳ指示と比較して）あるＱｏＳをもつ送信のためにワイヤレス媒体を使用する予定になっている場合、ＳＴＡは、ワイヤレス媒体を再使用することが許可され得る。
【００７９】
[0090]場合によっては、パケットが、ＰＨＹプリアンブルから導出された追加情報に関係する１つまたは複数の条件に一致する場合、ＳＴＡは、受信されたパケットに従うことが許可されないことがある。たとえば、受信電力が、（ＡＰまたは規格によって示される）あるしきい値を下回り得る場合、またはパケットのＢＷが、（ＡＰによって示される）ある範囲内にあり得る場合、またはパケットのＭＣＳが、（ＡＰによって示される）ある範囲内にあり得る場合、またはパケットの継続時間が（ＡＰによって示される）Ｘよりも大きい場合、ＳＴＡは、延期することが許可されないことがある。
【００８０】
[0091]場合によっては、パケットが、ある時間および／または周波数内に到着する場合、たとえば、制限付きアクセス窓（ＲＡＷ）内でのみ有効になるとルールが定義され得るとき、ノードは、パケットに従わないことがある。ノードは、あるカテゴリーではパケットに従わないことがあり、ここにおいて、カテゴリーは、たとえば、ＳＴＡの干渉状態を指すことができる。場合によっては、パケットがそのようなカテゴリーであるかどうかは、ＳＴＡによって決定され得る。たとえば、カテゴリーは、それ自体のＡＰとの受信信号強度指示（ＲＳＳＩ：received signal strength indication）に基づき、および／または干渉物とのＲＳＳＩに基づき得る。カテゴリーはまた、ＡＰによって決定され得る。他のタイプのカテゴリーも送信または受信エンティティによって決定され得る。
【００８１】
[0092]受信ＳＴＡは、パケットをドロップし得るかどうかを決定するために、受信されたパケット中の情報とそれ自体のＡＰから受信された追加の基準とを使用することができる。パケットをドロップし得る場合、ＳＴＡは、（たとえば、ＰＨＹ／ＭＡＣヘッダに基づいて）情報が決定された後にパケットを処理することを停止することができ、送信することが許可され得る。送信は、固定され得るある継続時間内およびドロップされたばかりのＰＬＣＰプロトコルデータユニット（ＰＰＤＵ：PLCP protocol data unit）の継続時間内など、いくつかの制限付きでのみ許可され得る。送信はまた、ある最大電力でのみ許可されるか、送信要求（ＲＴＳ）および／または送信可（ＣＴＳ）によって先行される必要があるか、ある帯域幅（ＢＷ）でのみ許可されるか、あるいはある宛先でのみ許可され得る。
【００８２】
[0093]場合によっては、ＡＰは、ビーコン、プローブ応答、アソシエーション応答（association response）中、またはＳＴＡに直接送られる管理フレーム中で、上記のルールを実装するために必要とされるパラメータのいずれかをシグナリングすることができる。ネゴシエーションプロシージャは、ＡＰによって定義され、開始され得る。たとえば、ＡＰは、ＳＴＡが、ＡＰが定義するパラメータに従って、またはＳＴＡによって決定されるパラメータに基づいて延期することを可能にすることができる。
【００８３】
[0094]場合によっては、ＡＰは、上記に記載したパラメータおよびルールのいずれかを定義する際に協調することができる。たとえば、ＡＰは、送信パケット中に何の情報が含まれるべきであるかに関して協調することができる。一例として、ＡＰは、各ネイバーの間でＢＳＳ識別子を一意に保とうとして協調することができ、（延期決定の基礎として使用され得る）パケットの重要性／ＱｏＳが、適正に設定され得る。ＡＰはまた、どのルールをどのＳＴＡに適用するか、および上記に記載した条件および／または延期パラメータのいずれかをいつ適用すべきかを協調することができる。
【００８４】
[0095]場合によっては、延期ルールは、パケット中のＢＳＳ識別子情報に基づくことができる。高密度シナリオでは、送信は、ＯＢＳＳによって干渉され得る。いくつかのリンクでは、ＯＢＳＳ干渉が強くなることあり、したがって、同時送信が可能でなくなる。いくつかの他のリンクでは、ＯＢＳＳ干渉が強くないことがあり、同時送信が可能になる。いくつかのＳＴＡは、いくつかのＯＢＳＳからのパケットに従う必要がないことがある。それ自体のＡＰに送信することを意図しているＳＴＡは、常に、それ自体のＢＳＳ内の任意のＳＴＡまたはＡＰによって設定され得るパケットから延期することができる。したがって、ＳＴＡがいくつかのＯＢＳＳから来たパケットに従わないことを可能にすることが望ましいことがある。
【００８５】
[0096]本発明のいくつかの態様は、パケットのＢＳＳＩＤを決定することを可能にする。パケットはＢＳＳの識別子を搬送しなければならず、識別子は、ＯＢＳＳの間でできる限り一意であるべきである。１１ａｃでは、アップリンクパケットのＢＳＳＩＤは、プリアンブル中の部分的なアソシエーション識別子（ｐａｒｔｉａｌ＿ＡＩＤ）フィールドから決定され得る。ダウンリンクパケットのＢＳＳＩＤは、プリアンブル中のｐａｒｔｉａｌ＿ＡＩＤフィールドから決定され得る。理想的には、実際のパケットを復号することは信頼性が低くなり得るので、ＢＳＳＩＤは、プリアンブルから識別可能であるべきである。
【００８６】
[0097]本発明のいくつかの態様は、ダウンリンクパケットのプリアンブル中にＢＳＳ識別子の指示を有するための方法を開示する。１つのそのような方法は、ｐａｒｔｉａｌ＿ＡＩＤが、ＢＳＳ識別子としていくつかのビットを有し、ＳＴＡ識別子のためにいくつかのビットを有することができるように、高効率ワイヤレス（ＨＥＷ：高効率ワイヤレス）パケット中のｐａｒｔｉａｌ＿ＡＩＤ定義を変更することであり得る。ＡＰは、重複があり得ないように、それらのＢＳＳ識別子が何であるかを一緒に決定することができる。アップリンク（ＵＬ）方向では、ＳＴＡ識別子は、ＴＸ局アドレスを示す。ダウンリンク（ＤＬ）方向では、ＳＴＡ識別子は、ＲＸ局アドレスを示す。
【００８７】
[0098]場合によっては、識別子がＵＬであるのか、またはＤＬであるのかを示すためにシングルビットが使用され、そうでない場合、ＳＴＡは、部分ＡＩＤをどのように使用するか（すなわち、ＴＸ１であるか、またはＲＸ１であるか）を知り得ない。単に、ｐａｒｔｉａｌ＿ＡＩＤを作成するときに最後のｘビットが常に同じになることができるようにＳＴＡにＡＩＤを割り当てることが望ましいことがある。ｘビットは、ＢＳＳ識別子として使用され得る。信号またはＱレール中の１ビットは、ＡＰがこの符号化を使用していることができるかどうかを指定することができる。ＡＰは、ｘビットが何であるか、したがって、重複がないことを一緒に決定することができる。ＡＰが協調される場合、ＡＰ識別子は、（ネイバーの間の競合することができる）部分的なＢＳＳＩＤである必要がないが、ネイバーＡＰの間で同意されるＡＰごとの任意の識別子であり得る。代替として、ＡＩＤがＢＳＳを暗黙的に識別するように、ＡＩＤ空間がネイバーの間で区分され得、ＡＰは、ＳＴＡにパーティションを示す必要があることができ、したがって、ＳＴＡは、どのＡＩＤをフィルタ除去すべきかがわかる。
【００８８】
[0099]いくつかの態様は、ＢＳＳＩＤに基づいた協調されない延期の一例を提供する。たとえば、第１のオプションによれば、パケットがＢＳＳ内からのものである場合、標準的な延期が使用され得る。パケットが任意のＯＢＳＳからのもの（またはＡＰによって示されたＯＢＳＳからのもの）である場合、ＡＰは、それのＢＳＳ中でＳＴＡに延期しないことの許可を示す。受信ＳＴＡが、ＯＢＳＳパケットに従うことが許可されていないことがあるＳＴＡのあるグループに属する場合、ＡＰは、それのＢＳＳ中でＳＴＡに延期しないことの許可を示すことができ、ここにおいて、ＳＴＡの分類は、他の場所に定義され得る。さらに、ＲＳＳＩがある値を下回る場合、ＡＰは、それのＢＳＳ中でＳＴＡに延期しないことの許可を示すことができ、ここにおいて、値は、ＡＰによって示され得る。さらに、ＲＳＳＩがある値を下回る場合、ＡＰは、それのＢＳＳ中でＳＴＡに延期しないことの許可を示すことができ、パケットは、「延期する必要がない」ビットセットを有し、ここにおいて、パケットの送信機は、ビットを設定すべきかどうかを決定する。協調は必要ない。挙動を最適化するために、ＡＰは、上記のパラメータおよび／またはＳＴＡの選択のために協調することができる。
【００８９】
[00100]ＢＳＳＩＤに基づいた協調されない延期の第２のオプションによれば、協調は必要ない。パケットがＢＳＳ内からのものである場合、標準的な延期が使用され得る。パケットがＯＢＳＳからのものである場合、修正された延期が使用され得る。修正された延期のケースがある。ケース１：パケットの目的とする受信機のＲＳＳＩがある値を下回る場合、延期しない。ケース２：ＲＳＳＩがある値を下回り、パケットが「延期する必要がない」ビットセットを有する場合。
【００９０】
[00101]プロトコルについての追加の要素は、Ｐａｒｔｉａｌ＿ＡＩＤフィールド中にＴＸ識別子とＲｘ識別子との両方を有することを含む。この例では、ノードは、ＯＢＳＳ中の他のノードからのＲＳＳＩ測定値を追跡することができる。パケットがＴＸ識別子を有することになるので、ノードは、アップリンクパケットについて送信機のＲＳＳＩを測定し、したがって、ＯＢＳＳ  ＳＴＡとＯＢＳＳ  ＡＰとの両方のＲＳＳＩ値を得ることができる。
【００９１】
[00102]場合によっては、異なる時間期間中に、異なる延期ルールが使用され得る。たとえば、いくつかの時間期間中に、標準的な延期ルールが使用され得る。他の時間期間中に、パケットがＢＳＳ内からのものである場合、標準的な延期が使用され得、またはパケットがＯＢＳＳからのものである場合、修正された延期が使用され得る。ＢＳＳＩＤに基づいた協調された延期のための、修正された延期のいくつかの異なるケースがあり得、ここにおいて、ＡＰは時間的に協調する。たとえば、ケース１：決して延期しない、ケース２：パケットのＲＳＳＩがしきい値を上回る場合のみ延期する、またはケース３：パケットの目的とする受信機におけるＲＳＳＩがある値を上回る場合のみ延期する。
【００９２】
[00103]ＢＳＳＩＤに基づいた協調された延期の追加の要件、ここにおいて、ＡＰは、時間的に協調することができる、は、ＳＴＡを異なるグループに分類する必要があることができることを含み、ここにおいて、異なるグループに、異なる時間期間、したがって、異なる延期ルールが割り当てられ得る。たとえば、ロバストなユーザは、修正された延期ルールをもつタイムスロットが与えられ得る。敏感なユーザは、通常の延期ルールをもつタイムスロットが与えられ得る。異なる時間期間はまた、追加のＢＷ制約を有し得る。
【００９３】
[00104]いくつかの態様は、ＢＳＳＩＤに基づいた協調された延期の一例を提供し、ここにおいて、ＡＰは、周波数にわたって協調することができる。たとえば、異なるＢＷにおいて、異なる延期ルールが適用され得る。たとえば、ＢＷ１では、標準的な延期ルールが使用される。ＢＷ２では、パケットがＢＳＳ内からのものである場合、標準的な延期が使用され得、またはパケットがＯＢＳＳからのものである場合、修正された延期が使用され得る。ＢＳＳＩＤに基づいた協調された延期のための、修正された延期のいくつかの異なるケースがあり、ここにおいて、ＡＰは周波数的に協調する。たとえば、ケース１：決して延期しない、ケース２：パケットのＲＳＳＩがしきい値を上回る場合のみ延期する、またはケース３：パケットの目的とする受信機がある値を上回る場合のみ延期する。
【００９４】
[00105]場合によっては、そのような協調された延期は、いくつかのリソース要件を有することができる。たとえば、周波数にわたって協調するＡＰは、複数のＴＸおよびＴＸ回路を有する必要があることができ、ＳＴＡを異なるグループに分類する必要があることができ、ここにおいて、異なるグループに、異なるＢＷ、したがって、異なる延期ルールが割り当てられることになる。
【００９５】
[00106]図５に、本開示のいくつかの態様による、装置によるワイヤレス通信のための例示的な動作５００を示す。動作５００は、５０２において、共有ワイヤレスアクセス媒体上で少なくとも１つの延期関連パラメータを有するパケットを取得することによって開始することができる。５０４において、装置は、延期関連パラメータに少なくとも部分的に基づいて媒体上での送信を延期すべきかどうかを決定することができる。
【００９６】
[00107]図６に、本開示のいくつかの態様による、装置によるワイヤレス通信のための例示的な動作６００を示す。動作６００は、６０２において、共有ワイヤレスアクセス媒体上で送信することを延期すべきか否かを決定する際に受信デバイスが使用する少なくとも１つの延期関連パラメータを有するパケットを生成することによって開始することができる。６０４において、装置は、パケットを他のワイヤレス通信デバイスに与えることができる。
【００９７】
[00108]上述した方法の様々な動作は、対応する機能を実施することができる任意の好適な手段によって実施され得る。手段は、限定はしないが、回路、特定用途向け集積回路（ＡＳＩＣ）、またはプロセッサを含む、様々なハードウェアおよび／またはソフトウェア構成要素および／またはモジュールを含むことができる。概して、図に示した動作がある場合、それらの動作は、同様の番号を有する対応するカウンターパートのミーンズプラスファンクション構成要素を有することができる。たとえば、図５および図６に示す動作５００および動作６００は、図５Ａおよび図６Ａに示す手段５００Ａおよび手段６００Ａに対応する。
【００９８】
[00109]たとえば、送信するための手段は、図４に示すワイヤレスデバイス４０２の送信機（たとえば、送信機ユニット４１０）および／またはアンテナ４１６を備えることができる。受信するための手段は、図４に示すワイヤレスデバイス４０２の受信機（たとえば、受信機ユニット４１２）および／またはアンテナ４１６を備えることができる。
【００９９】
[00110]場合によっては、受信機または受信するための手段は、「フロントエンド」ＲＦ機能たとえば含まないことがあるが、たとえば、ＲＦフロントエンドプロセッサからパケットを受信するための手段を含み得る。いくつかの態様によれば、本明細書で説明する態様に従って動作する装置は、そのようなＲＦフロントエンドプロセッサからパケット（またはその中に含まれているパラメータ）を取得することができる。同様に、送信機または送信するための手段は、「フロントエンド」ＲＦ機能を含まないことがあるが、たとえば、送信のためにＲＦフロントエンドプロセッサにパケットを与えるための手段を含み得る。いくつかの態様によれば、本明細書で説明する態様に従って動作する装置は、パケット（またはパケット中に含まれるパラメータ）を生成し、送信のためにＲＦフロントエンドプロセッサにパケットを与えることができる。
【０１００】
[00111]決定するための手段および生成するための手段は、図４に示すプロセッサ４０４などの１つまたは複数のプロセッサを含むことができる。いくつかの態様によれば、そのような手段は、様々なアルゴリズムを実装することによって（たとえば、ハードウェアにおいて、またはソフトウェア命令を実行することによって）、対応する機能を実行するように構成された処理システムによって実装され得る。たとえば、延期すべきかどうかを決定するためのアルゴリズムが、入力として、パケット中に含まれる延期関連パラメータをとり、その入力に基づいて延期すべきか否かの決定を行うことができる。そのような延期関連パラメータを有するパケットを生成するためのアルゴリズムは、入力として、あるタイプの延期または延期の欠如を要求する情報をとり、対応する延期関連パラメータをもつパケットを生成することができる。
送信機会（ＴＸＯＰ）に基づいた延期
[00112]様々な実施形態では、本明細書で説明する延期基準のうちの１つまたは複数は、ＲＴＳまたはＣＴＳフレームなどの制御フレーム中に示され得る。様々な実施形態では、送信機は、送信機会（ＴＸＯＰ）中に媒体共有送信の終了時間を整合させる（または、部分的に整合させる）ことができる。様々な実施形態では、ＴＸＯＰキャンに基づいた延期は、単独で、または本明細書で説明する１つまたは複数の態様と併せて実装した。
【０１０１】
[00113]図７に、本開示の態様が採用され得るタイミング図７００を示す。特に、図７に、ＴＸＯＰベースの延期機構に従って使用され得るタイミング図７００を示す。図７に示すように、送信機７１０と、送信機７２０と、送信機７３０との３つの送信機が存在する。３つの送信機が示されているが、追加のまたはより少ない送信機が使用され得る。様々な実施形態では、各送信機７１０、７２０、および／または７３０は、同じまたは重複するチャネルを使用することができる。
【０１０２】
[00114]いくつかの実施形態では、各送信機７１０、７２０、および／または７３０は、たとえば、図３に関して上記で説明したＡＰ２５４Ａ〜２５４Ｃなど、別個のＡＰに関連付けられ得る。いくつかの実施形態では、各送信機７１０、７２０、および／または７３０は、たとえば、ＡＰ１０４（図１）の異なる送信機および／またはセクタなど、単一のＡＰに関連付けられ得る。様々な実施形態では、送信機７１０、７２０、および／または７３０は、同じワイヤレスネットワークに関連付けられ得る。いくつかの実施形態では、１つまたは複数の送信機７１０、７２０、および／または７３０は、別個のワイヤレスネットワークに関連付けられ得る。
【０１０３】
[00115]図７に示すように、１つまたは複数のＡＰは、各送信機７１０、７２０、および／または７３０上でビーコン７４０を送信する。たとえば、ＡＰ２５４Ａは、送信機７１０上でビーコン７４０を送信することができ、ＡＰ２５４Ｂは、送信機７２０上でビーコン７４０を送信することができ、ＡＰ２５４Ｃは、送信機７３０上でビーコン７４０を送信することができる。いくつかの実施形態では、ビーコン７４０は、複数のＴＸＯＰ７５０を定義することができる。他の実施形態では、ＴＸＯＰ７５０は、たとえば、メモリ中に所定の値として記憶されるなど、他の方法で定義され得る。様々な実施形態では、送信機７１０、７２０、および／または７３０は、たとえば、ビーコン７４０、バックホール通信、および／または他のワイヤレスメッセージを使用してタイムスロット７５０を少なくとも部分的に同期させ得る。
【０１０４】
[00116]図７に示すように、送信機７１０、７２０、および／または７３０が、特定のＴＸＯＰ７５０についてのデータを有するとき、それらは、クリアチャネルアセスメント（ＣＣＡ）を実行することができる。図示の実施形態では、ＣＣＡは、ＲＴＳ７８０および／またはＣＴＳ７９０を含むことができる。チャネルがアイドルである、または媒体共有が許可さるとＣＣＡが決定する場合、送信機７１０、７２０、および／または７３０は送信を始めることができる。様々な実施形態では、ＣＣＡは、ＴＸＯＰ７５０の最初の部分中で、またはＴＸＯＰ７５０の直前の部分中で実行され得る。様々な実施形態では、ＣＣＡは、図５〜図６に関して上記で説明したように実行され得る。たとえば、送信機７１０、７２０、および／または７３０は、延期関連パラメータに少なくとも部分的に基づいて共有媒体上での送信を延期すべきかどうかを決定することができる。チャネルがアイドルでない、および媒体共有が許可されないとＣＣＡが決定する場合、送信機７１０、７２０、および／または７３０は、送信することを控えることができ、いくつかの実施形態では、次のＴＸＯＰ７５０中にチャネルを再検査することができる。
【０１０５】
[00117]データ７６０の送信の前に、送信機７１０、７２０、および／または７３０は、（データが与えられることになっているのか、または受信されることになっているかどうかに応じて）ＲＴＳ７８０および／またはＣＴＳ７９０を送信することができる。ＲＴＳ７８０およびＣＴＳ７９０は、１つまたは複数の延期関連パラメータを含むことができる。上記で説明したように、延期関連パラメータは、パケットＢＳＳ識別子（ＩＤ）がＯＢＳＳからのものであるのか、またはいくつかの選択されたＯＢＳＳからのものであるのか（たとえば、リストはＡＰによって与えられ得る）、ＴＸ／ＲＸ識別子が（たとえば、ＡＰによってシグナリングされ得る）あるＲＸ／ＴＸ識別子に一致するかどうか、パケット中に示されたＴＸ電力が、Ｘよりも小さいかどうか（たとえば、Ｘは、ＡＰまたはパケットによって示される、ここで、非ＯＢＳＳパケットについてよりＯＢＳＳパケットについてＸがより高くなり得る）、ＲＸ電力がＸよりも小さいかどうか（たとえば、Ｘは、ＡＰまたはパケットによって示される）、受信されたパケットがＤＬおよび／またはＵＬパケットであるかどうか、非延期が許可されるとの指示をパケットが含むかどうか（たとえば、媒体共有がＢＳＳごとに有効化／無効化される）、パケットが特定のタイプのものであるかどうか（たとえば、制御パケット、データパケットなど）の１つまたは複数のインジケータを含むことができる。
【０１０６】
[00118]いくつかの実施形態では、ＲＴＳ７８０は、データ７６０の計画されたＭＣＳまたは推定された最大ＭＣＳを含むことができる。たとえば、送信機７１０は、データ７６０のＭＣＳを含むＲＴＳ７８０を送信することができる。ＲＴＳ７８０は、さらに、媒体共有挙動を可能にするかまたは可能にしない指示を含むことができる。送信機７２０は、ＲＴＳ７８０を受信することができ、ＲＸ電力と示されたＭＣＳとに基づいて利用可能なリンクマージンを推定することができる。したがって、送信機７２０は、推定された利用可能なリンクマージンに基づいてＣＣＡを実行することができる。
【０１０７】
[00119]いくつかの実施形態では、ＣＴＳ７９０は、ＲＸ  ＣＣＡレベルしきい値オフセットを含むことができる。たとえば、送信機７１０は、ＲＴＳ７８０に応答してＣＴＳ７９０を送信することができる。ＣＴＳ７９０は、現在の（または後続の）ＴＸＯＰの継続時間の間のＣＣＡしきい値レベルに対する許容オフセットを示すフィールドを含むことができる。様々な実施形態では、オフセットフィールドは、２ビットから８ビットの間を含み、より詳細には、３ビットを含むことができる。送信機７２０は、ＣＴＳ７９０を受信することができ、デフォルトＲＸ  ＣＣＡしきい値と示されたオフセットとに基づいてＣＣＡしきい値を決定することができる。したがって、送信機７２０は、ＣＣＡによって決定されたＣＣＡしきい値に基づいてＣＣＡを実行することができる。
【０１０８】
[00120]様々な実施形態では、ＣＴＳ７９０ではなくＲＴＳ７４５を受信するデバイス７１０、７２０、および／または７３０は、ＮＡＶを更新するのを控えることが許可され得、ＴＸＯＰ７５０の間同じ送信側からのフレームに従うことを控えることができる。様々な実施形態では、そのような延期挙動は、ＲＴＳ７４５中の指示によって許可／不許可され得る。ＣＴＳ７９０を受信するデバイス７１０、７２０、および／または７３０は、ＣＴＳ７９０の電力が決定された（たとえば、デフォルトＲＸ  ＣＣＡしきい値にＣＴＳ７９０からの示されたオフセットを加えたものに基づいて決定された）ＣＣＡしきい値を下回るかどうかを決定することができる。ＣＴＳ７９０の電力が、決定されたＣＣＡしきい値を下回る場合、デバイス７１０、７２０、および／または７３０は、ＣＴＳ７９０のＮＡＶを無視することが許可され得、ＣＴＳによって示されるＴＸＯＰ７５０継続時間中に送られた同じＢＳＳＩＤのパケットについての延期を無視することができる。
【０１０９】
[00121]様々な実施形態では、送信機７１０、７２０、および／または７３０は、それらのデータ送信７６０の終了を（少なくとも部分的に、または実質的に）整合させるように構成され得る。データ送信７６０の終了は、ＴＸＯＰ７５０の終了（たとえば、肯定応答を考慮した設定量を加えたか、または差し引いたもの）と整合され得る。本明細書では、部分的に整合された送信は、所与のＴＸＯＰ７５０の継続時間を過ぎて延長しない送信を含むことができる。したがって、いくつかの実施形態では、送信機７１０および７２０によって送信されるデータ７６０は各ＴＸＯＰ７５０の継続時間を過ぎて延長しないが、データ送信７６０は、ＴＸＯＰ７５０の終了より前に任意の時間量を完了することができる。
【０１１０】
[00122]本明細書で説明するように、送信機７１０、７２０、および／または７３０は、いくつかの実施形態では、デフォルトＲＸ  ＣＣＡしきい値レベルを決定することができる。様々な実施形態では、複数のデバイス（たとえば、送信機５１０、５２０、および５３０）は、デフォルトＲＸ  ＣＣＡしきい値レベルを割り当てるために協調することができる。いくつかの実施形態では、送信機５１０、５２０、および／または５３０は、ビーコン５４０中でデフォルトＲＸ  ＣＣＡしきい値レベルを広告することができる。いくつかの実施形態では、送信機５１０、５２０、および５３０は、標準的なＲＸ  ＣＣＡしきい値レベルを使用するか、あるいは、たとえば、メモリから取り出されるか、またはハードコーディングされ得る複数の標準的なＲＸ  ＣＣＡしきい値レベルから選択することができる。いくつかの実施形態では、送信機５１０、５２０、および５３０は、たとえば、他の送信機の観測された挙動に動的に基づいてデフォルトＲＸ  ＣＣＡしきい値レベルを単独で決定することができる。デフォルトＲＸ  ＣＣＡしきい値レベルに関する本明細書の説明が本明細書で説明する任意の他の実施形態に適用され得ることを、当業者は諒解されよう。
【０１１１】
[00123]様々な実施形態では、デフォルトＲＸ  ＣＣＡしきい値レベルは、送信機７１０、７２０、および／または７３０自体のＴＸ電力レベルに対して定義され得る。様々な実施形態では、（たとえば、しきい値を下回る）比較的より低いＴＸ電力をもつ送信機７１０、７２０、および／または７３０は、（たとえば、許容可能なＲＸ  ＣＣＡしきい値レベルのセットから選択される）比較的より高いＲＸ  ＣＣＡしきい値レベルを使用することが許可され得る。様々な実施形態では、（たとえば、しきい値を上回る）比較的より高いＴＸ電力をもつ送信機７１０、７２０、および／または７３０は、（たとえば、許容可能なＲＸ  ＣＣＡしきい値レベルのセットから選択される）比較的より低いＲＸ  ＣＣＡしきい値レベルを使用することが必要とされるか、または要求され得る。
【０１１２】
[00124]図７に示すように、「同期」媒体再利用を時間７９２に示す。同期実施形態では、ＴＸＯＰ７５０は、少なくとも部分的に同期される。時間７９２において、送信機７２０は、（たとえば、ＲＴＳおよび／またはＣＴＳを含む）それ自体のＣＣＡプロシージャを始める前にＣＴＳ７９０の後まで待つ。
【０１１３】
[00125]別の実施形態では、「非同期」媒体再利用を時間７９４に示す。非同期実施形態では、事前指定または事前スケジュールされたＴＸＯＰ７５０がないことがある。代わりに、各送信機局は、媒体上での送信を監視することによって、ＴＸＯＰ再利用を機会主義的に探すことができる。たとえば、時間７９４において、送信機７２０は、送信機７１０によってＲＴＳ７８０の送信機を観測し、それがＴＸＯＰを再使用することができるかどうかを見るためにそれ自体のＲＴＳ７８０を開始する。
【０１１４】
[00126]様々な実施形態では、本明細書で説明するＲＴＳ／ＣＴＳハンドシェイクは省略され得る。たとえば、ＲＴＳ／ＣＴＳハンドシェイクは、ＲＴＳ／ＣＴＳによって搬送される情報（たとえば、ＭＣＳ、電力、ＲＸ、ＣＣＡしきい値など）の信頼測定値で省略され得る。特に、所与の送信では、局は、プリアンブルに基づいて、またはプリアンブルからＴＸ／ＲＸ識別情報を観測することによってＣＣＡプロシージャを実行することができる。したがって、局は、それがＴＸＯＰを再使用することができるかどうかを決定することができる。本明細書で説明するように、異なる延期ルールがそれに応じて適用され得る。
【０１１５】
[00127]本明細書で使用する「決定すること」という用語は、多種多様なアクションを包含する。たとえば、「決定」は、計算、算出、処理、導出、調査、探索（たとえば、テーブル、データベースまたは別のデータ構造での探索）、確認などを含み得る。また、「決定すること」は、受け取ること（たとえば、情報を受け取ること）、アクセスすること（たとえば、メモリ内のデータにアクセスすること）、および類似物を含み得る。また、「決定」は、解決、選択、選出、確立などを含み得る。さらに、本明細書で使用する「チャネル幅」は、いくつかの態様では帯域幅を包含することがあるか、または帯域幅と呼ばれることもある。
【０１１６】
[00128]本明細書で使用する、項目のリスト「のうちの少なくとも１つ」を指す句は、単一のメンバーを含む、それらのアイテムの任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１１７】
[00129]上記で説明された方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示されている任意の動作は、それらの動作を実行することが可能な対応する機能手段によって実行され得る。
【０１１８】
[00130]本開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または、本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１９】
[00131]１つまたは複数の態様では、説明された機能はハードウェア、ソフトウェア、ファームウェア、またはそれらの任意の組合せで実装され得る。ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる利用可能な媒体とすることができる。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気記憶デバイス、あるいは命令またはデータ構造の形態の所望のプログラムコードを搬送または記憶するために使用され得、コンピュータによってアクセスされ得る任意の他の媒体を備え得る。また、任意の接続は、コンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、一方、ディスク（disc）は、データをレーザーで光学的に再生する。したがって、いくつかの態様では、コンピュータ可読媒体は、非一時的コンピュータ可読媒体（たとえば有形媒体）を備え得る。さらに、いくつかの態様では、コンピュータ可読媒体は、一時的コンピュータ可読媒体（たとえば信号）を備え得る。上の組合せも、コンピュータ可読媒体の範囲内に含まれるべきである。
【０１２０】
[00132]したがって、いくつかの態様は、本明細書で提示された動作を実行するためのコンピュータプログラム製品を備え得る。たとえば、そのようなコンピュータプログラム製品は、命令が記憶（および／または符号化）され、それらの命令が本明細書で説明された動作を実行するために１つまたは複数のプロセッサによって実行可能である、コンピュータ可読媒体を備え得る。いくつかの態様では、コンピュータプログラム製品はパッケージング材料を含み得る。
【０１２１】
[00133]本明細書で開示される方法は、説明される方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１２２】
[00134]ソフトウェアまたは命令はまた、伝送媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【０１２３】
[00135]さらに、本明細書で説明する方法および技法を実行するためのモジュールおよび／または他の適切な手段は、適用可能な場合、ユーザ端末および／もしくは基地局によってダウンロードされ得るならびに／または他の方法で取得され得ることを諒解されたい。たとえば、本明細書で説明する方法を実行するための手段の転送を容易にするために、そのようなデバイスはサーバに結合され得る。代替的に、本明細書で説明する様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。さらに、本明細書で説明された方法および技法をデバイスに提供するための任意の他の好適な技法が利用され得る。
【０１２４】
[00136]特許請求の範囲は、上記で示されたそのままの構成および構成要素に限定されないことを理解されたい。上記で説明された方法および装置の構成、動作および詳細において、特許請求の範囲から逸脱することなく、様々な修正、変更および変形が行われ得る。
【０１２５】
[00137]上記は本開示の態様を対象とするが、本開示の他の態様およびさらなる態様は、その基本的範囲から逸脱することなく考案され得、その範囲は以下の特許請求の範囲によって決定される。
以下に本願の出願当初の特許請求の範囲に記載された発明を付記する。
［Ｃ１］
ワイヤレスに通信するように構成される装置であって、
共有ワイヤレスアクセス媒体上で送信されるパケットから延期関連パラメータを取得することと、前記少なくとも１つの延期関連パラメータに少なくとも部分的に基づいて前記共有ワイヤレスアクセス媒体上での送信を延期すべきかどうかを決定することとを行うように構成された処理システム
を備える、装置。
［Ｃ２］
前記処理システムが、前記決定を行う際に前記少なくとも１つの延期関連パラメータに関連する１つまたは複数のしきい値を使用するようにさらに構成された、Ｃ１に記載の装置。
［Ｃ３］
前記処理システムは、重複基本サービスセット（ＯＢＳＳ）のリストにさらに基づいて前記共有ワイヤレスアクセス媒体上での送信を延期すべきかどうかを決定するように構成された、Ｃ１に記載の装置。
［Ｃ４］
前記少なくとも１つの延期関連パラメータが、送信準備完了（ＲＴＳ）フレーム中で受信される、Ｃ１に記載の装置。
［Ｃ５］
前記少なくとも１つの延期関連パラメータが、送信機会（ＴＸＯＰ）中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、Ｃ４に記載の装置。
［Ｃ６］
前記処理システムが、前記ＲＴＳフレームが受信され、送信可（ＣＴＳ）フレームが受信されていない前記ＴＸＯＰ中の送信を延期しないように構成された、Ｃ５に記載の装置。
［Ｃ７］
前記少なくとも１つの延期関連パラメータが、送信可（ＣＴＳ）フレーム中で受信される、Ｃ１に記載の装置。
［Ｃ８］
前記少なくとも１つの延期関連パラメータが、許容クリアチャネルアセスメント（ＣＣＡ）オフセットと送信機会（ＴＸＯＰ）中に適用可能なデフォルトＣＣＡしきい値との指示のうちの少なくとも１つを備える、Ｃ７に記載の装置。
［Ｃ９］
前記処理システムは、
前記ＣＴＳが、前記デフォルトＣＣＡしきい値に前記オフセットを加えたものを下回る電力レベルを有するかどうかを決定することと、
前記ＴＸＯＰ中の送信を延期しないことと、
を行うように構成された、Ｃ８に記載の装置。
［Ｃ１０］
前記処理システムが、データ送信の終了を送信機会（ＴＸＯＰ）の終了と少なくとも部分的に整合させるように構成された、Ｃ１に記載の装置。
［Ｃ１１］
ワイヤレスに通信するように構成される装置であって、
ワイヤレス通信デバイス中の処理システムであって、別のワイヤレス通信デバイスが共有ワイヤレスアクセス媒体上での送信を延期すべきであるか否かを決定するために前記他のワイヤレス通信デバイスによって使用されるべき少なくとも１つの延期関連パラメータを備えるパケットを生成し、前記パケットを前記他のワイヤレス通信デバイスに与えることを行うように構成された処理システム
を備える、装置。
［Ｃ１２］
前記処理システムが、送信準備完了（ＲＴＳ）フレーム中に前記少なくとも１つの延期関連パラメータを含めるようにさらに構成された、Ｃ１１に記載の装置。
［Ｃ１３］
前記少なくとも１つの延期関連パラメータが、送信機会（ＴＸＯＰ）中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、Ｃ１２に記載の装置。
［Ｃ１４］
前記処理システムが、送信可（ＣＴＳ）フレーム中に前記少なくとも１つの延期関連パラメータを含めるようにさらに構成された、Ｃ１１に記載の装置。
［Ｃ１５］
前記少なくとも１つの延期関連パラメータが、許容クリアチャネルアセスメント（ＣＣＡ）オフセットと送信機会（ＴＸＯＰ）中に適用可能なデフォルトＣＣＡしきい値との指示のうちの少なくとも１つを備える、Ｃ１４に記載の装置。
［Ｃ１６］
共有ワイヤレスアクセス媒体上で送信されるパケットから延期関連パラメータを取得することと、
前記少なくとも１つの延期関連パラメータに少なくとも部分的に基づいて前記共有ワイヤレスアクセス媒体上での送信を延期すべきかどうかを決定することと、
を備える、ワイヤレス通信の方法。
［Ｃ１７］
前記決定を行う際に前記少なくとも１つの延期関連パラメータに関連する１つまたは複数のしきい値を使用することをさらに備える、Ｃ１６に記載の方法。
［Ｃ１８］
重複基本サービスセット（ＯＢＳＳ）のリストにさらに基づいて前記共有ワイヤレスアクセス媒体上での送信を延期すべきかどうかを決定することをさらに備える、Ｃ１６に記載の方法。
［Ｃ１９］
前記少なくとも１つの延期関連パラメータが、送信準備完了（ＲＴＳ）フレーム中で受信される、Ｃ１６に記載の方法。
［Ｃ２０］
前記少なくとも１つの延期関連パラメータが、送信機会（ＴＸＯＰ）中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、Ｃ１９に記載の方法。
［Ｃ２１］
前記ＲＴＳフレームが受信され、送信可（ＣＴＳ）フレームが受信されていない前記ＴＸＯＰ中の送信を延期するのを控えることをさらに備える、Ｃ２０に記載の方法。
［Ｃ２２］
前記少なくとも１つの延期関連パラメータが、送信可（ＣＴＳ）フレーム中で受信される、Ｃ１６に記載の方法。
［Ｃ２３］
前記少なくとも１つの延期関連パラメータが、許容クリアチャネルアセスメント（ＣＣＡ）オフセットと送信機会（ＴＸＯＰ）中に適用可能なデフォルトＣＣＡしきい値との指示のうちの少なくとも１つを備える、Ｃ２２に記載の方法。
［Ｃ２４］
前記ＣＴＳが、前記デフォルトＣＣＡしきい値に前記オフセットを加えたものを下回る電力レベルを有するかどうかを決定することと、
前記ＴＸＯＰ中の送信を延期するのを控えることと、
をさらに備える、Ｃ２３に記載の方法。
［Ｃ２５］
データ送信の終了を送信機会（ＴＸＯＰ）の終了と少なくとも部分的に整合させることをさらに備える、Ｃ１６に記載の方法。
［Ｃ２６］
ワイヤレス通信のための装置であって、
共有ワイヤレスアクセス媒体上で送信されるパケットから延期関連パラメータを取得するための手段と、
前記少なくとも１つの延期関連パラメータに少なくとも部分的に基づいて前記共有ワイヤレスアクセス媒体上での送信を延期すべきかどうかを決定するための手段と、
を備える、装置。
［Ｃ２７］
前記少なくとも１つの延期関連パラメータが、送信準備完了（ＲＴＳ）フレーム中で受信される、Ｃ２６に記載の装置。
［Ｃ２８］
前記少なくとも１つの延期関連パラメータが、送信可（ＣＴＳ）フレーム中で受信される、Ｃ２６に記載の装置。
［Ｃ２９］
実行されたとき、装置に、
共有ワイヤレスアクセス媒体上で送信されるパケットから延期関連パラメータを取得することと、
前記少なくとも１つの延期関連パラメータに少なくとも部分的に基づいて前記共有ワイヤレスアクセス媒体上での送信を延期すべきかどうかを決定することと、
を行わせるコードを備える、非一時的コンピュータ可読媒体。
［Ｃ３０］
前記少なくとも１つの延期関連パラメータが、送信準備完了（ＲＴＳ）フレームまたは送信可（ＣＴＳ）フレーム中で受信される、Ｃ２９に記載の装置。
【図１】
0006426170.tif 000002
【図２Ａ】
0006426170.tif 000003
【図２Ｂ】
0006426170.tif 000004
【図３】
0006426170.tif 000005
【図４】
0006426170.tif 000006
【図５】
0006426170.tif 000007
【図５Ａ】
0006426170.tif 000008
【図６】
0006426170.tif 000009
【図６Ａ】
0006426170.tif 000010
【図７】
0006426170.tif 000011